(57)【要約】【課題】送信系からの回り込み信号を抑圧し、反射波を感度良く受信しうる構成を簡易且つ安価に実現する。【解決手段】リーダライタ１は、送受信アンテナ６と、送受信アンテナ６を介して無線タグに所定周波数のキャリアを送信する送信回路３と、無線タグからの応答信号を、送受信アンテナ６を介して受信する受信回路４とを備えている。更に、アンテナ側からの入力信号を中間周波数帯の信号に変換する「周波数変換部」と、「周波数変換部」によって変換された中間周波数帯の信号において、応答信号に対応するデータ帯域を通過させ、送信回路３からの回り込み信号に対応する帯域を遮断する「フィルタ部」と、「フィルタ部」を通過したデータ帯域の信号を復調する「復調部」とが設けられている。【選択図】図１
2010287077.tif 000002
【特許請求の範囲】
【請求項１】
アンテナと、
前記アンテナを介して無線タグに所定周波数のキャリアを送信する送信部と、
前記無線タグからの応答信号を、前記アンテナを介して受信する受信部と、
を備えた無線タグリーダであって、
前記受信部は、
前記アンテナからの受信ラインに接続され、前記アンテナ側からの入力信号を中間周波数の信号に変換する周波数変換部と、
前記周波数変換部によって変換された前記中間周波数の信号において、前記応答信号に対応するデータ帯域を通過させ、前記送信部からの回り込み信号に対応する帯域を遮断するフィルタ部と、
前記フィルタ部を通過した前記データ帯域の信号を復調する復調部と、
を有することを特徴とする無線タグリーダ。
【請求項２】
前記復調部は、前記フィルタ部を通過した信号の包絡線検波を行う包絡線検波器を有することを特徴とする請求項１に記載の無線タグリーダ。
【請求項３】
前記周波数変換部は、
規定周波数の信号を出力する局部発振器と、
前記アンテナ側からの前記入力信号と、前記局部発振器からの前記規定周波数の信号とを混合し、前記中間周波数の信号を出力する混合器と、
を備え、
前記局部発振器は、前記送信部からの前記キャリアの周波数をｆｃとし、前記無線タグからの前記応答信号の周波数をｆｓとしたとき、これら周波数ｆｃ及びｆｓの和又は差が、所定の中心周波数ｆｉｆに変換されるように、前記規定周波数が設定されていることを特徴とする請求項１又は請求項２に記載の無線タグリーダ。
【請求項４】
前記フィルタ部は、少なくとも前記データ帯域を通過域とするバンドパスフィルタを有することを特徴とする請求項１から請求項３のいずれか一項に記載の無線タグリーダ。
【請求項５】
前記フィルタ部は、少なくとも前記データ帯域を通過域とし、前記回り込み信号に対応する帯域を減衰域とするバンドエリミネーションフィルタを有することを特徴とする請求項１から請求項３のいずれか一項に記載の無線タグリーダ。
【請求項６】
前記無線タグは、バックスキャタ方式且つサブキャリア方式で前記応答信号を出力するものであることを特徴とする請求項１から請求項５のいずれか一項に記載の無線タグリーダ。
【発明の詳細な説明】
【技術分野】
【０００１】
本発明は、無線タグリーダに関するものである。
【背景技術】
【０００２】
現在、ＲＦＩＤタグなどの無線タグに対して無線信号を送信し、その応答信号を受信することによって無線通信処理を行う無線タグリーダが提供されている。この種の無線タグリーダでは様々な通信方式が用いられており、例えば、リーダ本体から無線タグに対して無変調キャリアを送信し、この無変調キャリアを受信した無線タグが、変調処理を施した反射波を送信する方式（バックスキャッタ方式）などが採用されている。この方式は、無線タグ側でキャリア発生源を必要とせず、低消費駆動が可能であるという利点を有している。
【先行技術文献】
【特許文献】
【０００３】
【特許文献１】特開２００７−２８１６６３公報
【特許文献２】特開２００７−１８９３３８公報
【発明の概要】
【発明が解決しようとする課題】
【０００４】
ところで、上記バックスキャッタ方式のように、無線タグに対するキャリア送信と無線タグからの反射波の受信とを同時期に行う場合、反射波を受信する受信回路に送信波の回り込み信号が混入する虞があり、このような回り込みが発生すると、無線タグ側から送信される微弱な反射波を感度良く受信できなくなるという問題がある。
【０００５】
このような回り込みに対処する方法としては、受信信号を振幅情報のみで復調する包絡線検波方式を用いるのではなく、位相情報を利用したベクトル復調方式を用いることが考えられる。或いは、送信波の一部を分配し、その振幅と位相を調整することによって回り込み送信信号と同振幅で逆位相のキャンセル信号を生成し、それを受信波に加算することによって、受信波から回り込み送信信号を取り除く構成（キャリアキャンセラ回路）なども考えられる。しかしながら、これら方式は、位相器やミキサなどを必要とし、回路構成が複雑でコスト高を招きやすいという問題があった。
【０００６】
本発明は、上述した課題を解決するためになされたものであり、送信系からの回り込み信号を抑圧し、反射波を感度良く受信しうる構成を簡易且つ安価に実現することを目的とする。
【課題を解決するための手段】
【０００７】
請求項１の発明は、アンテナと、前記アンテナを介して無線タグに所定周波数のキャリアを送信する送信部と、前記無線タグからの応答信号を、前記アンテナを介して受信する受信部と、を備えた無線タグリーダであって、前記受信部が、前記アンテナからの受信ラインに接続され、前記アンテナ側からの入力信号を中間周波数の信号に変換する周波数変換部と、前記周波数変換部によって変換された前記中間周波数の信号において、前記応答信号に対応するデータ帯域を通過させ、前記送信部からの回り込み信号に対応する帯域を遮断するフィルタ部と、前記フィルタ部を通過した前記データ帯域の信号を復調する復調部と、を有することを特徴としている。
【０００８】
請求項２の発明は、請求項１に記載の無線タグリーダにおいて、前記復調部が、前記フィルタ部を通過した信号の包絡線検波を行う包絡線検波器を有することを特徴とする。
【０００９】
請求項３の発明は、請求項１又は請求項２に記載の無線タグリーダにおいて、前記周波数変換部が、規定周波数の信号を出力する局部発振器と、前記アンテナ側からの前記入力信号と前記局部発振器からの前記規定周波数の信号とを混合し、前記中間周波数の信号を出力する混合器とを備えている。
そして、前記局部発振器は、前記送信部からの前記キャリアの周波数をｆｃとし、前記無線タグからの前記応答信号の周波数をｆｓとしたとき、これら周波数ｆｃ及びｆｓの和又は差が、所定の中心周波数ｆｉｆに変換されるように、前記規定周波数が設定されている。
【００１０】
請求項４の発明は、請求項１から請求項３のいずれか一項に記載無線タグリーダにおいて、前記フィルタ部が、少なくとも前記データ帯域を通過域とするバンドパスフィルタを有することを特徴とする。
【００１１】
請求項５の発明は、請求項１から請求項３のいずれか一項に記載の無線タグリーダにおいて、前記フィルタ部が、少なくとも前記データ帯域を通過域とし、前記回り込み信号に対応する帯域を減衰域とするバンドエリミネーションフィルタを有することを特徴とする。
【００１２】
請求項６の発明は、請求項１から請求項５のいずれか一項に記載の無線タグリーダにおいて、前記無線タグが、バックスキャタ方式且つサブキャリア方式で前記応答信号を出力するものであることを特徴とする。
【発明の効果】
【００１３】
請求項１の発明は、アンテナからの受信ラインに接続された周波数変換部により、アンテナ側からの入力信号を中間周波数の信号に変換しており、この中間周波数の信号をフィルタ部に入力させることで、応答信号に対応するデータ帯域を通過させ、送信部からの回り込み信号に対応する帯域を遮断している。そして、フィルタ部を通過したデータ帯域の信号を復調している。このようにすると、複雑なベクトル復調回路や複雑なキャリアキャンセラを用いることなくデータ帯域を選択的に取り出すことができ、回り込み信号を除去しうる復調回路を簡易且つ安価に構成しやすくなる。
【００１４】
請求項２の発明は、復調部において、フィルタ部を通過した信号の包絡線検波を行う包絡線検波器が設けられている。このようにすると、抽出されたデータ帯域の信号に基づき、より簡単且つ安価な回路構成によって復調信号を生成できる。
【００１５】
請求項３の発明は、規定周波数の信号を出力する局部発振器が設けられており、この局部発振器からの規定周波数の信号と、アンテナ側からの入力信号とを混合器によって混合し、中間周波数の信号を出力している。更に、局部発振器は、送信部からのキャリアの周波数をｆｃとし、無線タグからの応答信号の周波数をｆｓとしたとき、これら周波数ｆｃ及びｆｓの和又は差が、所定の中心周波数ｆｉｆに変換されるように、規定周波数が設定されている。このようにすると、簡易な構成で、データ帯域の周波数を既知の中心周波数ｆｉｆを中心とする中間周波数に変換することができ、データ帯域を選択的に通過させやすくなる。
【００１６】
請求項４の発明は、フィルタ部において、少なくともデータ帯域を通過域とするバンドパスフィルタが設けられている。このようにすると、周波数変換部で生成された中間周波数帯の信号において回り込み信号を抑圧し、データ帯域を良好に取り出すことができる。
【００１７】
請求項５の発明は、フィルタ部において、少なくともデータ帯域を通過域とし、回り込み信号に対応する帯域を減衰域とするバンドエリミネーションフィルタが設けられている。このようにすると、周波数変換部で生成された中間周波数の信号において、データ帯域を選択的に取り出すことができ、回り込み信号を確実に遮断できる。
【００１８】
請求項６の発明は、バックスキャタ方式且つサブキャリア方式で応答信号を出力する無線タグを通信対象としている。このように、回り込み信号の問題がより深刻となるバックスキャタ方式且つサブキャリア方式において本発明の特徴的構成を採用すればより効果的である。
【図面の簡単な説明】
【００１９】
【図１】図１は、本発明の第１実施形態に係る無線タグリーダの電気的構成を概略的に例示するブロック図である。
【図２】図２は、図１の無線タグリーダと非接触通信を行う無線タグを概略的に例示するブロック図である。
【図３】図３は、アンテナ側から混合器に入力される入力信号の周波数スペクトルを概略的に説明する説明図である。
【図４】図４は、混合器から出力される中間周波数帯の信号の周波数スペクトルを概略的に説明する説明図である。
【発明を実施するための形態】
【００２０】
[第１実施形態]
以下、本発明の無線タグリーダを具現化した第１実施形態について、図面を参照して説明する。
（リーダライタの全体構成）
図１に示すリーダライタ１は、「無線タグリーダ」の一例に相当するものであり、ＵＨＦ帯（例えば、周波数９５３ＭＨｚ）のキャリアを使用してＲＦＩＤタグ３０（図２：後述）と非接触通信を行う構成をなしている。このリーダライタ１は、主として、主制御部２、送信回路３、受信回路４、メモリ５、送受信アンテナ６、アンテナ共用器７などを備えている。
【００２１】
主制御部２は、ＣＰＵ、ＲＯＭ、ＲＡＭなどによって構成されており、図示しないキー操作部から与えられる操作信号に応じてリーダライタ１の各種動作を制御する機能を有し、例えば、送信回路３へデータを出力する処理や、受信回路４から入力したデータの処理などを実行する機能を有している。
【００２２】
メモリ５は、例えばＲＡＭ（ＤＲＡＭ、ＳＲＡＭ等）やＲＯＭ（ＥＰＲＯＭ、ＥＥＰＲＯＭ等）などの半導体メモリによって構成されている。このメモリ５には、読取処理等を実行可能な所定プログラムや各ハードウェアを制御可能なシステムプログラム等が予め格納されている。また、メモリ５は、主制御部２が算術演算や論理演算等の各処理時に利用する作業領域として機能すると共に、主制御部２が扱う制御コマンドや各種データ等を記憶可能に構成されている。
【００２３】
送信回路３は、「送信部」の一例に相当するものであり、送受信アンテナ６を介してＲＦＩＤタグ３０（無線タグ）に所定周波数のキャリアを送信するように機能するものである。図１の例では、キャリア発振器１１、符号化部１２、変調器１３、増幅器１４、送信部フィルタ１５などによって送信回路３が構成されている。
【００２４】
キャリア発振器１１は、規定周波数（例えば９５３ＭＨｚ）のキャリア（搬送波）を発生させ、変調器１１に出力する構成をなしており、主制御部３の制御に応じて発振動作とその停止とを切り替えるように構成されている。
【００２５】
符号化部１２は、主制御部２から出力される送信データを符号化して変調器１３に出力している。変調器１３は、通信対象（ＲＦＩＤタグ３０）へのコマンド送信時に、キャリア発振器１１より出力される例えば周波数９５３ＭＨｚのキャリア（搬送波）に対し、符号化部１２より出力される符号化された送信符号（変調信号）によってＡＳＫ（Amplitude Shift Keying）変調された被変調信号を生成し、増幅器１４に出力している。
【００２６】
増幅器１４は、入力信号を設定されたゲインで増幅する構成をなしており、その増幅信号を送信部フィルタ１５に出力している。なお、本実施形態では、例えば、主制御部２からの指令値に応じて増幅器１４のゲインが設定されるようになっており、増幅器１４のゲインを設定変更することにより、送信電波の出力電力を調整できるようになっている。送信部フィルタ１５は、増幅器１４から出力された増幅信号のうち必要な周波数の信号だけを通過させるように機能している。
【００２７】
アンテナ共用器６は、送信部フィルタ１５から出力された高周波信号の逆方向への流れを防止する機能を有し、送信部フィルタ１５側から入力された高周波信号を送受信アンテナ６へ出力し、送受信アンテナ６側から入力された高周波信号を受信回路４側に出力している。
【００２８】
送受信アンテナ６は、ＲＦＩＤタグ３０への信号送信及びＲＦＩＤタグ３０からの信号受信に兼用されるアンテナであり、送信部フィルタ１５からアンテナ共用器７を介して出力された高周波信号（送信信号）を、無線信号としてＲＦＩＤタグ３０へ送信し、また、ＲＦＩＤタグ３０から出力された応答信号（無線信号）を受信するように機能している。
【００２９】
受信回路４は、「受信部」の一例に相当するものであり、ＲＦＩＤタグ３０（無線タグ）からの応答信号を、送受信アンテナ６を介して受信するように機能するものである。図１の例では、局部発振器２１、混合器２２、フィルタ部２３、包絡線検波器２４、二値化処理部２５、復号化部２６などによって受信回路４が構成されている。この受信回路４は、送受信アンテナ６によって受信されたＲＦＩＤタグ３０からの応答信号を復調し、その復調信号を二値化した上で復号化する構成をなしている。なお、受信回路４の詳細構成については後述する。
【００３０】
なお、本実施形態に係るリーダライタ１は、上記要素以外にも、電池や電源回路などの電源系、液晶表示器などの表示部、各種操作キーなどの操作手段等が設けられているが、図１では、これらの図示は省略している。
【００３１】
（タグの主な電気的構成）
図２は、リーダライタ１と非接触通信を行う無線タグの電気的構成を概略的に例示するブロック図である。
ＲＦＩＤタグ３０は、「無線タグ」の一例に相当するものであり、いわゆるパッシブタイプのタグとして構成され、リーダライタ１から送信されたキャリアを受信して動作用電源を生成する構成をなしている。また、このＲＦＩＤタグ３０は、応答信号を返すときにサブキャリアを使用するサブキャリア方式として構成されており、リーダライタ１から送信されたキャリアより抽出したクロックを分周し、キャリアとは異なる周波数の動作クロックを生成している。この方式では、リーダライタ１から送信されたコマンドを復調すると、そのコマンドに対する応答を、サブキャリアを負荷変調することで返信している。
【００３２】
ＲＦＩＤタグ３０の電気的構成は、図２に示す通りであり、ＩＣチップ３１と送受信アンテナ３２とを備えると共に、ＩＣチップ３１内に、整流回路３３、復調回路３４、変調回路３５、制御回路３６、メモリ３７などが設けられている。
【００３３】
整流回路３３は、リーダライタ１から送信された送信電波が送受信アンテナ３２を介して入力されると、その入力された送信電波の搬送波を整流して動作用電源を生成し、制御回路３６およびその他の構成要素に供給する。復調回路３４は、搬送波に重畳されている送信データを復調して制御回路３６に出力する。メモリ３７は、非接触通信に用いられる各種情報を記憶するものであり、例えば、タグ３０が取付けられている物品などに関する情報（以下、タグ情報という）、他のタグと識別するための識別情報などが書換え可能に格納されている。
【００３４】
制御回路３６は、整流回路３３から動作用電源が供給されると、例えば、メモリ３７から情報を読み出して送信データとして変調回路３５に出力する。変調回路３５は、上述のサブキャリアをメモリ３７から読み出された送信データで変調して返信電波を作成し、その返信電波を送受信アンテナ３２からリーダライタ１へ返信する。
【００３５】
（リーダライタの特徴的構成）
次に、リーダライタ１の特徴をなす受信系について説明する。
リーダライタ１では、ＲＦＩＤタグ３０からの応答信号が送受信アンテナ６によって受信されると、アンテナ共用部７を経て受信回路４に入力されるようになっている。この受信回路４には、局部発振器２１及び混合器２２からなる「周波数変換部」が設けられており、アンテナ側からの入力信号を中間周波数の信号に変換している。更に、フィルタ部２３が設けられており、「周波数変換部」によって変換された中間周波数の信号において、ＲＦＩＤタグ３０からの応答信号に対応するデータ帯域を通過させ、送信回路３（送信部）からの回り込み信号に対応する帯域を遮断するように機能している。
【００３６】
混合器２２は、アンテナ側から受信ライン８を通って入力される入力信号と、局部発振器２１からの「規定周波数」の信号とを混合し、中間周波数帯の信号をフィルタ部２３に出力している。アンテナ側からの入力信号は、例えば図３に示すような周波数スペクトルで構成され、送信回路３のキャリア周波数ｆｃ（例えば９５３ＭＨｚ）を中心に、ＲＦＩＤタグ３０からの応答に相当する信号が側波帯として現れている。
【００３７】
本実施形態では、送信回路３（送信部）から出力されるキャリアの周波数がｆｃ（例えば９５３ＭＨｚ）に定められている。一方、ＲＦＩＤタグ３０（無線タグ）からの応答信号の周波数は、主制御部２によって指定された指定周波数ｆｓとなっている。具体的には、主制御部２により、送信回路３からＲＦＩＤタグ３０に与える送信コマンド内に、ＲＦＩＤタグ３０の応答周波数をｆｓに指定する指定コマンドを含ませており、ＲＦＩＤタグ３０は、この指定コマンドに基づき、指定周波数ｆｓで応答信号を出力するようになっている。
【００３８】
アンテナ側からの入力信号は、送受信アンテナ６が受信した応答信号（周波数ｆｓの信号）に、送信回路３からの回りこみ信号（周波数ｆｃの信号）が重畳された信号が「ＲＦＩＤタグ３０からの応答に相当する信号」として含まれており、具体的には、ｆｃとｆｓの和（ｆｃ＋ｆｓ）又は差（ｆｃ−ｆｓ）の周波数付近で「ＲＦＩＤタグ３０からの応答に相当する信号」が現れている。
【００３９】
局部発振器２１は、「規定周波数」の高周波信号を出力するものであり、本実施形態では、局部発振器２１の「規定周波数」が、主制御部２によって指定された周波数に定められている。
【００４０】
「周波数変換部」では、回り込み信号が重畳された「ＲＦＩＤタグ３０からの応答に相当する信号」（即ち、ｆｃとｆｓの和（ｆｃ＋ｆｓ）又は差（ｆｃ−ｆｓ）の周波数付近の信号）に対し、局部発振器２１からの「規定周波数」の信号を、混合器２２によって混合し、「ＲＦＩＤタグ３０からの応答に相当する信号」を、所定の中心周波数ｆｉｆ付近の中間周波数帯の信号に変換している。
【００４１】
具体的には、「規定周波数」を、例えば、ｆｃ＋ｆｉｆ＋ｆｓ、或いはｆｃ＋ｆｉｆ−ｆｓと定め、側波帯として現れたいずれかの応答信号（即ち、ｆｃとｆｓの和（ｆｃ＋ｆｓ）又は差（ｆｃ−ｆｓ）の周波数付近の信号）を、中間周波数ｆｉｆ付近の信号に変換している。なお、主制御部２では、ｆｃ、ｆｓが既知の値であり、ｆｉｆも予め定められた既知の値であるため、主制御部２は、これらの値に基づいて局部発振器２１の周波数を
指定している。
【００４２】
図４は、局部発振器２１の周波数を「ｆｃ＋ｆｉｆ＋ｆｓ」とし、「ＲＦＩＤタグ３０からの応答に相当する信号」（即ち、ｆｃとｆｓの和（ｆｃ＋ｆｓ）又は差（ｆｃ−ｆｓ）の周波数付近の信号）と混合したときの中間周波数帯の周波数スペクトルを示している。この例では、上側の応答信号（周波数「ｆｃ＋ｆｓ」付近の信号）が、中心周波数ｆｉｆ付近の中間周波数帯の信号に変換されている。なお、変換後（混合後）には、中心周波数ｆｉｆ付近の周波数帯と離れた帯域で、ｆｉｆ付近の周波数帯以外の周波数帯の信号（例えば、「ｆｉｆ＋２ｆｓ」付近の周波数帯の信号）も現れることになる。
【００４３】
混合器２２によって生成された中間周波数帯の信号は、フィルタ部２３に入力される。
フィルタ部２３は、少なくともデータ帯域（「ＲＦＩＤタグ３０からの応答に相当する信号」を、局部発振器２１及び混合器２２によって周波数変換した帯域）を通過域とするバンドパスフィルタによって構成されている。具体的には、中心周波数ｆｉｆ付近の中間周波数帯の信号を、「応答信号に対応するデータ帯域」として通過させ、送信回路３からの回り込み信号を抑圧させている。なお、図４では、フィルタ部２３（バンドパスフィルタ）によって通過させる帯域を一点鎖線にて概念的に示している。
【００４４】
フィルタ部２３を通過した中間周波数帯の信号は、包絡線検波器２４の入力される。この包絡線検波器２４は、電気信号の包絡線を検出可能な公知の包絡線検波器として構成されており、フィルタ部２３から出力される中間周波数帯の信号（ｆｉｆ付近の信号）の包絡線を検出し、得られた包絡線情報を出力している。なお、包絡線検波器２４は、「復調部」の一例に相当し、フィルタ部２３を通過したデータ帯域の信号を復調するように機能する。
【００４５】
包絡線検波器２４によって検出された包絡線情報は、二値化処理部２５に入力される。二値化処理部２５は、公知のＡＤ変換器として構成されており、その復調された信号波形を二値化し、デジタルデータとして復号化部２６に出力している。その二値化された信号は、復号化部２６にて復号化された後、最終的に主制御部２に入力される。なお、受信回路４には、フィルタ部２３から出力される中間周波数帯の信号に基づいてキャリアセンスを行う中間周波検波回路２８も設けられている。
【００４６】
（本実施形態の主な効果）
本実施形態のリーダライタ１では、送受信アンテナ６らの受信ライン８に接続された「周波数変換部」により、アンテナ側からの入力信号を中間周波数帯の信号に変換しており、この中間周波数帯の信号をフィルタ部２３に入力させることで、中間周波数帯における応答信号に対応するデータ帯域を通過させ、送信回路３（送信部）からの回り込み信号に対応する帯域を抑圧している。そして、フィルタ部２３を通過したデータ帯域の信号を復調している。このようにすると、複雑なベクトル復調回路や複雑なキャリアキャンセラを用いることなくデータ帯域を選択的に取り出すことができ、回り込み信号を除去しうる復調回路を簡易且つ安価に構成しやすくなる。
【００４７】
また、リーダライタ１では、フィルタ部２３を通過した信号の包絡線検波を行う包絡線検波器２４によって復調部が構成されている。このようにすると、「周波数変換部」及びフィルタ部２３によって抽出されたデータ帯域の信号に基づき、より簡単且つ安価な回路構成によって復調信号を生成できる。
【００４８】
また、リーダライタ１では、「規定周波数」の信号を出力する局部発振器２１が設けられ、この局部発振器２１からの「規定周波数」の信号と、アンテナ側からの入力信号とを混合し、中間周波数の信号を出力している。更に、局部発振器２１は、送信回路３（送信部）からのキャリアの周波数をｆｃとし、ＲＦＩＤタグ３０（無線タグ）からの応答信号の周波数をｆｓとしたとき、これら周波数ｆｃ及びｆｓの和又は差が、所定の中心周波数ｆｉｆに変換されるように、「規定周波数」が設定されている。このようにすると、簡易な構成で、データ帯域の周波数（即ち、ＲＦＩＤタグ３０からの応答信号に、回り込み信号が重畳された周波数）を既知の中心周波数ｆｉｆ付近の中間周波数に変換することができ、データ帯域を選択的に通過させやすくなる。
【００４９】
また、リーダライタ１では、データ帯域を通過域とするバンドパスフィルタによってフィルタ部２３が構成されている。このようにすると、複雑な回路構成を用いることなく、「周波数変換部」で生成された中間周波数帯の信号において回り込み信号を抑圧することができ、データ帯域を良好に取り出すことができる。
【００５０】
また、本実施形態では、バックスキャタ方式且つサブキャリア方式で応答信号を出力するＲＦＩＤタグ３０（無線タグ）を通信対象としている。このように、回り込み信号の問題がより深刻となるバックスキャタ方式且つサブキャリア方式において本発明の特徴的構成を採用すればより効果的である。
【００５１】
［他の実施形態]
本発明は上記記述及び図面によって説明した実施形態に限定されるものではなく、例えば次のような実施形態も本発明の技術的範囲に含まれる。
【００５２】
上記実施形態では、フィルタ部２３をバンドパスフィルタとして構成したが、混合器２２から出力される中間周波数の信号において、中心周波数ｆｉｆから離れた回り込み信号に対応する帯域を減衰域とし、中心周波数ｆｉｆ付近を減衰域としないバンドエリミネーションフィルタによってフィルタ部２３を構成してもよい。このようにしても、「周波数変換部」で生成された中間周波数の信号において、回り込み信号に対応する帯域を抑圧し、データ帯域を選択的に取り出すことができる。
【符号の説明】
【００５３】
１…リーダライタ（無線タグリーダ）
２…主制御部
３…送信回路（送信部）
４…受信回路（受信部）
５…メモリ
６…送受信アンテナ（アンテナ）
７…アンテナ共用器
２１…局部発振器（周波数変換部）
２２…混合器（周波数変換部）
２３…フィルタ部
２４…包絡線検波器（復調部）
３０…ＲＦＩＤタグ（無線タグ）
【図１】
2010287077.tif 000003
【図２】
2010287077.tif 000004
【図３】
2010287077.tif 000005
【図４】
2010287077.tif 000006